(57)【要約】【課題】本発明は、自動開閉傘の使用上の安全性を大幅に高めることが可能な、自動開閉傘の中棒の安全伸縮制御構造を提供する。【解決手段】制御構造を持ち手部内に設け、制御構造の本体を第一中棒に固定し、本体の下半部に相互に接触する可動板と係止板を設け、さらにラチェットを有する逆止輪を設け、逆止輪上に、一端が上部材内に固定された安全ひもを巻きつける。以上の構造により、傘を閉じる時、中棒を圧縮させる動作を誤った場合、圧縮された中棒ユニットは位置決めされ、それにより、圧縮された開傘バネの影響で中棒ユニットが一瞬で反発する現象が起こらない。従って、この安全装置を中棒ユニットに組み合わせる構造により、自動開閉傘の使用上の安全性を大幅に高めることが可能である。【選択図】図１
2011212371.tif 000002
【特許請求の範囲】
【請求項１】
本体と、カバー筒と、可動板と、係止板と、逆止輪とを含む制御構造を、持ち手部内に設け、
傘の第一中棒の底端内に、一側に割り溝を具える内張り管を設けるとともに、第一中棒の底端を本体内に固定し、カバー筒内にはバネを設けるとともに、カバー筒を第一中棒に貫設し、可動板と係止板は、相互に接触させるとともに、カバー筒の一側の下方の本体上に設け、係止板の左側はバネによって支え、逆止輪は係止板の下方の本体上に設け、逆止輪の一側は、同じ斜面の向きをもつ複数の歯によってラチェットを形成し、逆止輪の内部にはスプリングを設け、逆止輪上には、一端は逆止輪に固定されるとともに、他端は上部材内に固定された安全ひもを巻きつけ、
傘を閉じる際に、中棒を圧縮させる動作を誤った時、逆止輪が係止板に一瞬で係止されることにより、及び、安全ひもによって引っ張られることにより、圧縮された中棒ユニットは位置決めされ、それにより、圧縮された開傘バネの影響で中棒ユニットが一瞬で反発する現象が起こらなくすることを特徴とする、自動開閉傘の中棒の安全伸縮制御構造。
【請求項２】
前記第一中棒の底端の一側には割り溝を設けるとともに、その隣接する側面には、頂端に開孔を有する長凹溝を形成させ、前記安全ひもは、長凹溝に沿って取り付けるとともに開孔から前記中棒ユニット内の空間に進入させ前記上部材内に固定することを特徴とする、請求項１に記載の自動開閉傘の中棒の安全伸縮制御構造。
【発明の詳細な説明】
【技術分野】
【０００１】
本発明は自動開閉傘の中棒伸縮制御構造の改良技術に関し、特に逆止輪を設けることにより、傘を閉じる動作を誤った場合でも、圧縮された開傘バネの影響で傘の中棒が一瞬で反発する現象が起こらず、使用上の安全性を大幅に高めることが可能な、自動開閉傘の中棒の安全伸縮制御構造に関する。
【背景技術】
【０００２】
図１から図３に示すように、一般的によく見られる自動開閉傘の構造は、持ち手部１内に制御構造２が設けられ、中棒ユニット３内に開傘バネ６が設けられ、さらに、各傘骨７と連結されたアクティブ部４には、一端が上部材４１に固定されているとともに、他端が銃弾状部材５に固定されている引きひも５１が引っ掛けられている。制御構造２は、内部が中空である本体内に、制御リング２０１、制御柱２０２、ボタン２０３等の部材を設けてなる。制御柱２０２は制御リング２０１の一側の底部に枢設され、ボタン２０３は、持ち手部１の側方の開孔に設けられるとともに、外に露出する。以上の構造により、傘の中棒ユニット３を制御する。
【０００３】
図１に示すように、制御リング２０１の一側の外端には微小バネ２０１１が設けられ、制御リング２０１内部の微小バネ２０１１に対応する箇所には、アクティブ部４を係止するための凸柱２０１２が設けられ、それにより、傘を折りたたんだ状態を保つことができる。また、制御柱２０２は、枢軸２０２１によって、ボタンに近接した制御リング２０１の底部に連結されるとともに、トルクバネ２０２２が設けられ、それにより、制御柱２０２を水平状態に保つことができる。傘が開く前の折りたたまれている状態の時には、アクティブ部４は、制御リング２０１の凸柱２０１２の係止によって位置決めされており、制御柱２０２は、中棒ユニット３の第二中棒３２の下方向に押す力を受けて傾斜状を形成し、また、銃弾状部材５は、第三中棒３３内の内管３４によって押さえられているとともに、プレート３１１によって支えられ、さらに、中棒ユニット３の第一中棒３１の係止孔に係止される。そして、図２に示すように、ボタン２０３を押すと、制御リング２０１が内側に押され、凸柱２０１２はアクティブ部４から外れ、中棒ユニット３内の開傘バネ６の作用により、自動開傘の動作が行われる。この時、制御柱２０２も水平の状態に戻り、銃弾状部材５に当接する。
【０００４】
傘を閉じたい時は、再びボタン２０３を押すと、制御柱２０２によって銃弾状部材５が押されて銃弾状部材５は第一管体３１から外れ、アクティブ部４は移動可能な状態になり、各傘骨７の閉傘バネ７１の作用により、各傘骨７は傘面とともに自動的に折りたたまれ、図３に示すようにアクティブ部４は下に移動し、その後、更に力をいれて傘の頂部から持ち手部１に向かって中棒ユニット３を圧縮させると、図１に示す傘が閉じた状態になる。
【０００５】
しかしながら、この自動開閉傘の最大の問題は、傘を折りたたむ過程で発生する。なぜなら、傘を閉じる時は、傘の中棒ユニット３内の開傘バネ６に対して圧縮動作を行うが、開傘バネ６の強度と弾性力は小さくないため、使用者は、手に強い力をこめて傘を折りたたまなければならず、力の入れ方や動作が正しくない時、圧縮された開傘バネ６は極めて大きな力で中棒ユニット３を反発させるため、頻繁に、使用者の手やその他の体の部位の負傷を招く。従って、この種の自動開閉傘は使用する際に危険性を伴う。
【発明の概要】
【発明が解決しようとする課題】
【０００６】
本発明は、自動開閉傘の使用上の安全性を大幅に高めることが可能な、自動開閉傘の中棒の安全伸縮制御構造を提供することを目的とする。
【課題を解決するための手段】
【０００７】
本発明による自動開閉傘の中棒の安全伸縮制御構造は、図４に示すように、制御構造２を持ち手部１内に設け、制御構造２は、本体２０と、カバー筒２１と、可動板２２と、係止板２３と、逆止輪２４とを含み、傘の第一中棒３１の底端内には、一側に割り溝３５１を具える内張り管３５を設けるとともに、本体２０内に固定する。また、第一中棒３１の底端の一側には割り溝３１１を設けるとともに、隣接する側面には、頂端に開孔３１３を有する長凹溝３１２を形成させる。カバー筒２１内にはバネ２８を設けるとともに、カバー筒２１を第一中棒３１に貫設する。可動板２２と係止板２３は相互に接触させるとともに、カバー筒２１の一側下方の本体２０に設け、係止板２３の一側はバネ２９によって支える。逆止輪２４は、係止板２３下方の本体２０に設け、逆止輪２４の一側は、同じ斜面の向きをもつ複数の歯によってラチェット２４１を形成し、その内部にはスプリング２４２を設ける。また、一端は逆止輪２４に固定されるとともに、他端は第一中棒３１の長凹溝３１２に沿って取り付け更に開孔３１３から中棒ユニット３内の空間に進入させ上部材４１内に固定される安全ひも２５を、逆止輪２４に巻きつける。傘を閉じる時、中棒を圧縮させる動作を誤った場合、係止板２３が逆止輪２４を一瞬で係止することにより、及び、安全ひも２５による引っ張りにより、圧縮された中棒ユニット３は位置決めされ、それにより、圧縮された開傘バネ６の影響で中棒ユニット３が一瞬で反発する現象が起こらない。従って、この安全装置を中棒ユニットに組み合わせる構造により、自動開閉傘の使用上の安全性を大幅に高めることが可能である。
【図面の簡単な説明】
【０００８】
【図１】従来の自動開閉傘の構造と使用状態を示した説明図である。
【図２】従来の自動開閉傘の構造と使用状態を示した説明図である。
【図３】従来の自動開閉傘の構造と使用状態を示した説明図である。
【図４】本発明の制御構造を示した分解図である。
【図５】本発明の制御構造と作動状態を示した説明図である。
【図６】本発明の制御構造と作動状態を示した説明図である。
【図７】本発明の制御構造と作動状態を示した説明図である。
【図８】本発明の別の実施例を示した図である。
【図９】本発明の別の実施例を示した図である。
【発明を実施するための形態】
【０００９】
本発明による自動開閉傘の中棒の安全伸縮制御構造について、三つ折り傘を実施例として説明する。図５に示すように、その基本部材は、持ち手部１と、中棒ユニット３と、アクティブ部４と、銃弾状部材５と、開傘バネ６と、傘骨７を含む。持ち手部１には、制御リング２６と制御柱２７を具えるボタン１１を設け、中棒ユニット３は、第一中棒３１と、第二中棒３２と、第三中棒３３とによって構成し、第三中棒３３の頂端には上部材４１を固定して設けるとともに、底端の一側には係止孔３３１を設け、上部材４１の底部には内管３４を固定して設け、開傘バネ６は第一中棒３１と内管３４の間に配置し、銃弾状部材５は内管３４の下方に配置するとともに、その頂部には引きひも５１を固定して設ける。引きひも５１は、内管３４内を上方へ貫通させ、上部材４１内の滑車に引っ掛けて、さらに、アクティブ部４内の滑車へ引っ掛けた後、その末端を上部材４１上に固定する。また、制御構造２は、持ち手部１内に設けるとともに、第一中棒３１の底端と連結させる。
【００１０】
図５は、本発明による自動開閉傘を折りたたんだ後の構造を示している。第三中棒３３の係止孔３３１に制御リング２６の係止凸部２６１を係止させることにより、中棒ユニット３は位置決めされ、制御柱２７は第三中棒３３によって下に押されて傾斜状を形成し、また、引きひも５１によってアクティブ部４と連結されている銃弾状部材５は、内管３４によって下に押されるとともに、第一中棒３１内の内張り管３５のプレート３６に支えられて割り溝３５１に係止され、カバー筒２１は第二中棒３２によって下に押され、カバー筒２１の頂縁が可動板２２上端に当接して可動板２２は右に押されて回転し、可動板２２の底端が係止板２３の頂端に当接して係止板２３は左に押されて回転し、係止板２３の底端は右に回転して逆止輪２４のラチェット２４１から外れる。この時、逆止輪２４内のスプリング２４２は完全に緩んだ状態になり、安全ひも２５は逆止輪２４上に巻き取られる。
【００１１】
図６を参照する。傘を開きたい時には、ボタン１１を押すと、制御リング２６が内側に押されて係止凸部２６１は第三中棒３３の係止孔３３１から外れ、また、中棒ユニット３内の開傘バネ６の作用によって、中棒ユニット３は完全に伸張し、中棒ユニット３につれて上に移動したアクティブ部４によって全ての傘骨７が開き、自動開傘の動作が完了する。この時、制御柱２７は、水平状態に戻るとともに、銃弾状部材５に当接し、また、頂端が上部材４１内に固定されている安全ひも２５は、上部材４１につれて上に引っ張られて逆止輪２４を反時計回りに回転させ、逆止輪２４内のスプリング２４２は縮んだ状態になる。
【００１２】
図７を参照する。傘を閉じたい時には、ボタン１１を再度押すと、制御柱２７によって銃弾状部材５が押され、内張り管３５の割り溝３５１から銃弾状部材５が外れ、各傘骨７の閉傘バネ７１の作用により、各傘骨７は自動的に折りたたまれるとともに、アクティブ部４は下に移動し、また、銃弾状部材５は、引きひも５１によって上に引っ張られて内管３４の底端に当接する。この時、カバー筒２１は第二中棒３２に当接していないため、バネ２８は上に移動して元の位置に戻り、また、係止板２３の一側のバネ２９によって係止板２３の上端は右に回転し、その下端は左に回転して逆止輪２４のラチェット２４１に当接する。
【００１３】
再び、図５と図７を参照する。傘を閉じる最後の動作は、傘の中棒ユニット３の圧縮である。中棒ユニット３が外力を受けて圧縮する時、安全ひも２５は、中棒ユニット３が内側に収縮するにつれて緩む。この時、逆止輪２４は、スプリング２４２の元の位置に戻る動力によって、時計回りに回転し、また、逆止輪２４のラチェット２４１の歯は同方向の斜面しかもたないため、逆止輪２４が時計回りに回転する時、ラチェット２４１は係止板２３に係止されない。しかし、圧縮する力を受けなくなった時、中棒ユニット３内の開傘バネ６の弾力で中棒ユニット３は伸張しようとし、逆止輪２４の安全ひも２５の一端は上部材４１上に固定されているため、引っ張られる力によって安全ひも２５が逆止輪２４を反時計回りに回転させるが、この時、係止板２３は逆止輪２４のラチェット２４１上の歯を係止するため、逆止輪２４は反時計回りに回転することができなくなって第三中棒３３を引っ張ることにより、中棒ユニット３の伸張が一瞬で止まる。以上のように、傘を閉じる動作の際に誤って力を緩めてしまった時は、逆止輪２４が係止板２３によってすぐに係止されることにより、中棒ユニット３を引っ張ってその伸張を止め、それにより、圧縮された開傘バネ６の影響で中棒ユニット３が一瞬で反発する現象が起こらなくなり、自動開閉傘の使用上の安全性を大幅に高めることができる。
【００１４】
図８と図９に示すように、本発明の別の実施例においては、持ち手部１には、開傘と閉傘の二つのボタン１１を設けるとともに、持ち手部１の内則には、二つのボタン１１と連動させて操作を行うための二組の制御リング２６を設ける。以上の構造でも、一つのボタンの時と同様にな制御効果を得られる。
【符号の説明】
【００１５】
（従来技術）
１    持ち手部        
２    制御構造
３    中棒ユニット    
４    アクティブ部    
５    銃弾状部材      
６    開傘バネ      
７    傘骨  
３１  第一中棒    
３２  第二中棒    
３３  第三中棒    
３４  内管
４１    上部材
５１    引きひも
７１    閉傘バネ
２０１  制御リング    
２０２  制御柱      
２０３  ボタン    
３１１  プレート    
２０１１  微小バネ
２０１２  凸柱      
２０２１  枢軸      
２０２２  トルクバネ  
（本発明）
１    持ち手部        
２    制御構造    
３    中棒ユニット    
４    アクティブ部    
５    銃弾状部材          
６    開傘バネ      
７    傘骨    
１１  ボタン    
２０  本体    
２１  カバー筒      
２２  可動板    
２３  係止板      
２４  逆止輪    
２５  安全ひも    
２６  制御リング    
２７  制御柱  
２８、２９バネ      
３１  第一中棒    
３２  第二中棒    
３３  第三中棒    
３４  内管    
３５  内張り管  
３６  プレート    
４１    上部材
５１    引きひも
７１    閉傘バネ
２４１  ラチェット    
２４２  スプリング
２６１  係止凸部
３１１、３５１  割り溝    
３１２  長凹溝
３１３  開孔  
３３１  係止孔
【図１】
2011212371.tif 000003
【図２】
2011212371.tif 000004
【図３】
2011212371.tif 000005
【図４】
2011212371.tif 000006
【図５】
2011212371.tif 000007
【図６】
2011212371.tif 000008
【図７】
2011212371.tif 000009
【図８】
2011212371.tif 000010
【図９】
2011212371.tif 000011